(57)【特許請求の範囲】
【請求項１】
ベースプレートに回動可能に枢支されたラッチでフードに固定したストライカと係合してフードを全閉位置でロックし、この全閉位置のロックが解除されて僅かに開放された半開状態を保持し、さらに半開位置のロックを解除して全開となるロック機構を備えた車輌用フードロック装置において、
前記ロック装置のロックレバーを、フックレバー部とセーフティレバー部を高強度合成樹脂で一体に連成し、セーフティレバー部の先端にフラットな面の操作部を形成してなり、
前記セーフティレバー部又は前記操作部の一方には挿し部が、対向する他方には受け部が突き合せ状にそれぞれ形成され、前記挿し部と前記受け部との嵌合部に抜止め手段が設けられ、前記挿し部と前記受け部が強制圧入で一体に結合されてなることを特徴とする車輌用フードロック装置。
【請求項２】
前記ロックレバーのフックレバー部とセーフティレバー部に補強リブを形成してなる前記請求項１記載の車輌用のフードロック装置。
【請求項３】
前記ロックレバーの特にフックレバー部に補強リブを形成してなる請求項１記載の車輌用フードロック装置。
【請求項４】
前記補強リブがフラットな板面に対し斜交又は直交するように細巾で形成されてなることを特徴とする請求項３記載の車輌用フードロック装置。
【発明の詳細な説明】
【技術分野】
【０００１】
本発明は、自動車のボンネットやトランク、或いはエンジンフード等の車輌用フードロック装置に関する。
【背景技術】
【０００２】
自動車のボンネットロック装置は、ボンネットを全閉位置でロックし、この全閉位置からロックが解除された僅かに開放された半開位置を保持し、さらに半開位置のロックを解除して全開となるロック機構を備えており、このロック機構に半開位置のロックを手動で操作してボンネットのロック開放を操作するロックレバーが設けられている。
【０００３】
このようなロックレバーはフック側に強大な力が作用するのでフックレバーを強度の高い耐久性のある金属でつくり、対応するセーフティレバー部側は合成樹脂で別体に形成して夫々を１本の支持軸に取付けるようにしたものが知られている。
【先行技術文献】
【特許文献】
【０００４】
【特許文献１】特開平８−６０９１８号公報
【発明の概要】
【発明が解決しようとする課題】
【０００５】
しかし、上記した従来のフックレバーとセーフティレバーを金属と合成樹脂で別体に形成して個別に支持軸に取付けるものでは、金属と合成樹脂で別個に製作する手間及び支持軸に対して軸方向に並べて取付けられるため取付スペースが大きくなって不利であり、生産コストが嵩むという問題がある。
【０００６】
また、セーフティレバーは２段目のロックを手動で操作するため、車輌のタイプや大きさ等車種によって異なるため夫々に対応した多種類のものが必要となる。
【０００７】
本発明は、上記に鑑みてなされたものであり、フックレバー部とセーフティレバー部を含むロックレバーを高強度合成樹脂により一体形成し、支持軸に対して最小のスペースで取付け可能な且つ過大な荷重、衝撃に対して強度上問題がなく而も車種等が制約されず統一化を可能にした従来より安価で歩留りのよい車輌用フードロック装置を提供することを目的とする。
【課題を解決するための手段】
【０００８】
本発明に係る車輌用フードロック装置は、ベースプレートに回動可能に枢支されたラッチでフードに固定したストライカと係合してフードを全閉位置でロックし、この全閉位置のロックが解除されて僅かに開放された半開状態を保持し、さらに半開位置のロックを解除して全開となるロック機構を備えた車輌用フードロック装置において、前記ロック装置のロックレバーを、フックレバー部とセーフティレバー部を高強度合成樹脂で一体に連成し、セーフティレバー部の先端にフラットな面の操作部を形成してなることを特徴とする。
【発明の効果】
【０００９】
本発明に係る車輌用フードロック装置によれば、ロックレバー全体を高強度合成樹脂で一体形成されることで強度があり耐久性の高いロックレバーを従来よりも簡単に構成でき安価で品質の高い製品を提供することができる。
【図面の簡単な説明】
【００１０】
【図１】本発明に係る車輌用フードロック装置の実施形態を示す正面からみた斜視図
【図２】図１の背面側からみた正面図
【図３】ロックレバーの斜視図
【図４】（ａ）はロックレバーの正面図、（ｂ）はロックレバーの他の実施例の正面図
【図５】（ａ）は図４（ａ）におけるＡ−Ａ矢視の断面図、（ｂ）（ｃ）は図５（ａ）のＢ部拡大図で夫々結合前の状態を示している。
【発明を実施するための形態】
【００１１】
（実施例）
図１は、本発明の好ましい実施例の車輌用フードロック装置の斜視図である。図２は、図１の車輌用フードロック装置を背面側からみた正面図である。
【００１２】
上記実施例の車輌用フードロック装置は図２において、車体側のベースプレート１０に２本の支持軸１１、１２を突設し、夫々にラッチ２０及び解除レバー２１を回動可能に取付け、解除レバー２１をワイヤー３０で操作する機構とベースプレート１０の背面側に設けたロックレバー４０とで構成される。
【００１３】
ロックレバー４０は、ボンネット側に固定されたストライカ５０に係合するフック４１ａを先端に備えたフックレバー部４１と、指で操作する操作部４２ａを備えたセーフティレバー部４２とよりなり、下部のほぼ中間の基端部をベースプレート１０に立設した支持軸４３に回動可能に取付け、セーフティレバー部４２とベースプレート１０の間に牽引ばね１３を設け、ばねの附勢でフック４１ａをストライカ５０に係合し操作部４２ａを指で引上げるとフック４１ａがストライカ５０から離脱する。
【００１４】
ボンネットが全閉状態のときはボンネットに固定されたストライカ５０がラッチ２０の係止凹所２０ａに係合ロックされ強力ばね１４と解除レバー２１とで保持されている。ボンネットを開くときはワイヤー３０の牽引で補助ばね１５の附勢に抗して解除レバー２１が解除方向（図２で反時計方向）へ回動するのに伴いラッチ２０が強力ばね１４の力で同方向へ回動しこれによりストライカ５０が係止凹所２０ａから離脱してロックレバー４１のフック４１ａに係合される。つまりボンネットは全閉位置から僅かに開放された半開状態になり、この状態が保持される。
【００１５】
フックレバー部４１とこれに相対する位置にセーフティレバー部４２とを備えたロックレバー４０は、全体を高強度合成樹脂により一体形成する。例えばこのようなロックレバーの材料としてはナイロン超高強度（ＪＦ−３０Ｇ）が好適であり、その他、高度に強化されたＡＢＳ樹脂のような合成樹脂材を利用する。
【００１６】
フックレバー部４１には上部の先端に内向き鉤形のフック４１ａを備え、セーフティレバー部４２には上部の先端にフラットな面の板片からなる操作部４２ａを設ける。両レバー部の下端中央部に取付孔４４を設けてこの取付孔４４をベースプレート１０に突設した支持軸４３に嵌挿しロックレバー４０を回動可能に支持させる
【００１７】
セーフティレバー部４２の上端部の操作部４２ａはセーフティレバー部に対する位置や形、大きさが様々に変化したものと取替えできるようにレバー部の上端に近い部位に一方には挿し部４２ｂを、対向する他方には受け部４２ｃを突き合せ状に形成して両者を強制圧入して結合させる。挿し部４２ｂと受け部４２ｃとの嵌合部に係止片４２ｄと係止凹所４２ｅからなる抜止め手段を設ける。この抜止め手段により一旦強制圧入して結合すると分離不能に結合され一体となる。
【００１８】
上記の構成とすることにより、フックレバー部と操作部を除くセーフティレバー部を一体に有する部材（Ｔ）に対して、セーフティレバー部の上部先端に取付ける操作部を含む部材（Ｓ）を形や大きさ等車種に応じたものを多数用意して適応するものを前記の部材（Ｔ）に取付けることができる。（図４（ａ）、同（ｂ）参照）
【００１９】
前記ロックレバー４０には両レバー部４１、４２に補強リブ４１Ｒ、４２Ｒを形成する。特にフックレバー部４１側には更にフラットな板面に対し斜交又は直交するように細巾の補強リブ４１ｒを形成する。
【００２０】
上記の構成とすることにより、本発明の車輌用フードロック装置のロックレバー４０は従来のロックレバーに較べても大きな強度と耐久性を備え軽量で安価な製品を提供することができる。
【００２１】
また、ロックレバー４０は全体が高強度合成樹脂製であり、そのため特にセーフティレバー部４２の先端のフラットな面の操作部４２ａは合成樹脂の地肌がそのまま露出するから、これにゴムキャップのようなクッション補助材を被せなくてもソフトタッチで指掛りがよく、ケガの心配も少ない。
【産業上の利用可能性】
【００２２】
本発明の車輌用フードロック装置は、従来のものに比べて構成が単純でフードロックの操作性が優れており、また取付けスペースの制限を受けず車種の変化に対応した主要部品の共通化を図ることができる。また組立性にも優れ工場での作業性を大きく向上させるものとして、その産業上の利用可能性は極めて大きい。
【符号の説明】
【００２３】
１０  ベースプレート
１１、１２  支持軸
１３  牽引ばね
１４  強力ばね
１５  補助ばね
２０  ラッチ
２０ａ  係止凹所
２１  解除レバー
３０  ワイヤー
４０  ロックレバー
４１  フックレバー部
４１ａ  フック
４１Ｒ、４１ｒ  補強リブ
４２    セーフティレバー部
４２ａ  操作部
４２ｂ  挿し部
４２ｃ  受け部
４２ｄ  係止片
４２ｅ  係止凹所
４３    支持軸
４４  取付孔
５０  ストライカ
【図１】
0005523138.tif 000002
【図２】
0005523138.tif 000003
【図３】
0005523138.tif 000004
【図４】
0005523138.tif 000005
【図５】
0005523138.tif 000006